(57)【要約】【課題】操作性に優れた電子機器を提供する。【解決手段】電子機器１は、画像を表示する表示部１６０と、表示部１６０が設置される面に対する側面に設置され、接触の有無及び接触位置を検知するサイドセンサ１２２と、画像処理部１５０と、サイドセンサ１２２による検知結果に基づいて動きを検知すると、当該検知した動きに基づいて、画像処理部１５０を制御して表示部１６０に表示する画像を変化させる制御部１１０とを備える。【選択図】図１
2012243204.tif 000002
【特許請求の範囲】
【請求項１】
表示部と、
前記表示部が設置される面に対する側面に設置され、接触の有無及び接触位置を検知するサイドセンサと、
前記サイドセンサによる検知結果に基づいて動きを検知すると、当該検知した動きに基づいて、前記表示部に表示する画像を変化させる制御部と、
を備えることを特徴とする電子機器。
【請求項２】
前記制御部は、前記表示部が画像を表示しているときに、前記サイドセンサにおいて所定方向の動きを検知すると、前記表示部に表示する画像を切り替える
ことを特徴とする請求項１に記載の電子機器。
【請求項３】
前記サイドセンサは、互いに隣接する側面それぞれに設置され、
前記制御部は、前記表示部が画像を表示しているときに、互いに隣接する側面に設置された２つのサイドセンサ同士において、いずれも他方のサイドセンサから離れる向きの動きを検知すると、前記表示部に表示されている画像を拡大して前記表示部に表示させる
ことを特徴とする請求項１又は２に記載の電子機器。
【請求項４】
前記サイドセンサは、互いに隣接する側面それぞれに設置され、
前記制御部は、前記表示部が画像を表示しているときに、互いに隣接する側面に設置された２つのサイドセンサ同士において、いずれも他方のサイドセンサに近づく向きの動きを検知すると、前記表示部に表示されている画像を縮小して前記表示部に表示させる
ことを特徴とする請求項１から３いずれか１項に記載の電子機器。
【請求項５】
前記サイドセンサは、互いに対向する側面それぞれに設置され、
前記制御部は、前記表示部が画像を表示しているときに、互いに対向する２つのサイドセンサ同士において、互いに逆向きの動きを検知すると、前記表示部に表示されている画像を回転して前記表示部に表示させる
ことを特徴とする請求項１から４にいずれか１項に記載の電子機器。
【請求項６】
前記制御部は、前記表示部が電子書籍を表示しているときに、前記サイドセンサにおいて所定方向の動きを検知すると、前記電子書籍のページをめくる
ことを特徴とする請求項１から５にいずれか１項に記載の電子機器。
【請求項７】
前記制御部は、前記表示部が動画像を表示しているときに、前記サイドセンサにおいて所定方向の動きを検知すると、当該動きの接触位置に基づいて前記動画像の再生位置を変更する
ことを特徴とする請求項１から６にいずれか１項に記載の電子機器。
【請求項８】
前記制御部は、前記表示部が動画像を表示しているときに、前記サイドセンサにおいて所定方向の動きを検知した後に、当該動きによる接触が無くなるまで、変更した再生位置で前記動画像を一時停止する
ことを特徴とする請求項７に記載の電子機器。
【請求項９】
表示部と、
前記表示部が設置される面に対する側面に設置され、接触の有無及び接触位置を検知するサイドセンサと、
を備える電子機器が、前記サイドセンサによる検知結果に基づいて動きを検知すると、当該検知した動きに基づいて、前記表示部に表示する画像を変化させるステップ
を有することを特徴とする画像表示方法。
【発明の詳細な説明】
【技術分野】
【０００１】
本発明は、電子機器及び画像表示方法に関する。
【背景技術】
【０００２】
携帯電話や携帯情報端末などの電子機器として、例えば特許文献１が知られている。特許文献１に示すような電子機器においては、操作部分にボタンを設けた構成が知られている。このような電子機器において、例えば板状に設けられた筐体の一の面に表示部が設けられており、当該一の面のうち表示部の周囲の領域などに操作ボタンが設けられた構成が知られている。
【先行技術文献】
【特許文献】
【０００３】
【特許文献１】特開２０１０−８６０８９号公報
【発明の概要】
【発明が解決しようとする課題】
【０００４】
しかしながら、従来技術における筐体に操作ボタンを配置する構成においては、筐体における操作ボタンの位置が固定されるため、例えば筐体を回転させて用いる場合などに操作しにくいという問題がある。
【０００５】
本発明は上記の点に鑑みてなされたものであり、その目的は、操作性に優れた電子機器及び画像表示方法を提供することにある。
【課題を解決するための手段】
【０００６】
本発明は上記の課題を解決するためになされたものであり、本発明の一態様は、表示部と、前記表示部が設置される面に対する側面に設置され、接触の有無及び接触位置を検知するサイドセンサと、前記サイドセンサによる検知結果に基づいて動きを検知すると、当該検知した動きに基づいて、前記表示部に表示する画像を変化させる制御部と、を備えることを特徴とする電子機器である。
【発明の効果】
【０００７】
本発明によれば、操作性に優れた電子機器を提供することができる。
【図面の簡単な説明】
【０００８】
【図１】本発明の実施形態による電子機器の構成を示すブロック図である。
【図２】本実施形態による電子機器の構成を示す斜視図である。
【図３】実施形態における用語の定義を説明するための図である。
【図４】本実施形態による画像の切り替え操作を説明するための図である。
【図５】本実施形態による画像の拡大操作を説明するための図である。
【図６】本実施形態による画像の縮小操作を説明するための図である。
【図７】本実施形態による画像の回転操作を説明するための図である。
【図８】本実施形態によるページめくり操作を説明するための図である。
【図９】本実施形態による動画像の再生位置指定操作を説明するための図である。
【発明を実施するための形態】
【０００９】
以下、図面を参照しながら本発明の一実施形態について詳しく説明する。
図１は、本実施形態による電子機器１の構成を示すブロック図である。
電子機器１は、携帯電話機、スマートフォン、デジタルカメラ等の携帯情報端末である。電子機器１は、制御部１１０と、入力部１２０と、無線通信部１３０と、記憶部１４０と、画像処理部１５０と、表示部１６０とを含んで構成される。
【００１０】
入力部１２０は、外部からの入力を受け付け、入力された情報を制御部１１０に出力する。入力部１２０は、撮像部１２１と、サイドセンサ１２２と、姿勢検知部１２３とを含んで構成される。
撮像部１２１は、被写体を撮像して画像データを生成する。例えば、撮像部１２１は、サイドセンサ１２２における静止画撮影操作に応じて、撮像した静止画の画像データを出力する。また、撮像部１２１は、サイドセンサ１２２における動画撮影操作に応じて、所定の間隔で連続的に撮像した動画の画像データを出力する。そして、撮像部１２１によって撮像された静止画の画像データ及び動画の画像データは、制御部１１０の制御により、記憶部１４０に記録される。また、撮像部１２１は、サイドセンサ１２２における撮影操作がされていない撮影待機状態の場合、所定の間隔で連続的に得られる画像データをスルー画像データ(スルー画）として出力する。そして、撮像部１２１によって得られたスルー画像データは、制御部１１０の制御により、画像処理部４を介して表示部１６０に表示される。
【００１１】
サイドセンサ１２２は、電子機器１の筐体における４辺の側面に設置され、外部からの接触の有無及び接触位置を検知し、検知した接触の有無及び接触位置を制御部１１０に出力する。
姿勢検知部１２３は、例えば加速度センサ等により電子機器１の姿勢を検知し、検知した姿勢を制御部１１０に出力する。
【００１２】
制御部１１０は、電子機器１を統括して制御する。例えば、制御部１１０は、サイドセンサ１２２からの入力に応じて、画像処理部４を制御して表示部１６０に表示される画像を変化させる。
画像処理部１５０は、記憶部１４０に予め設定されている画像処理条件に基づいて、記憶部１４０のバッファメモリに記憶されている画像データに対して画像処理を実行する。ここで、記憶部１４０のバッファメモリに記憶されている画像データとは、例えば、撮像部１２１よって撮像された静止画の画像データ、スルー画像データ、もしくは動画の画像データである。
【００１３】
記憶部１４０は、ＲＡＭ（Random Access Memory）等から構成されるバッファメモリと、ＲＯＭ（Read Only Memory）又はフラッシュメモリ等から構成されるメモリ部とを含んで構成される。バッファメモリは、画像データを記憶する。メモリ部には、画像処理条件等が記憶されている。
表示部１６０は、例えば、液晶ディスプレイであり、撮像部１２１によって撮像された画像データ、又は、メニュー画面等を表示する。
無線通信部１３０は、外部（例えば、他の電子機器１）と無線通信する。
【００１４】
図２は、本実施形態による電子機器１の構成を示す斜視図である。
電子機器１の筐体は、例えば正方形の板状に形成されており、表示部１６０とサイドセンサ１２２とを保持する。
表示部１６０は、筐体のうち板面に設けられている。筐体のうち当該表示部１６０が設けられる面を、以下表示面と表記する。撮像部１２１のカメラは、表示面の裏面に設けられている。
【００１５】
サイドセンサ１２２は、筐体のうち表示面を囲む４辺に相当する４つの側面Ｆａ〜Ｆｄに設けられている。以下、説明の便宜を図るため、側面Ｆａに設けられたサイドセンサ１２２をサイドセンサ１２２ａと記し、側面Ｆｂに設けられたサイドセンサ１２２をサイドセンサ１２２ｂと記し、側面Ｆｃに設けられたサイドセンサ１２２をサイドセンサ１２２ｃと記し、側面Ｆｄに設けられたサイドセンサ１２２をサイドセンサ１２２ｄと記す。なお、サイドセンサ１２２ａ〜ｄに共通する事項については、ａ〜ｄの符号を省略し、単に「サイドセンサ１２２」又は「各サイドセンサ１２２」と記す。サイドセンサ１２２は、各側面Ｆａ〜Ｆｄにおいて外部からの（例えばユーザの）接触の有無及び接触位置を検出する。
【００１６】
次に、図３〜図９を参照して、サイドセンサ１２２による電子機器１の操作方法について説明する。これらの図においては、サイドセンサ１２２を、表示部１６０の各辺に並べて模式的に示している。また、ユーザの指の動きを各サイドセンサ１２２上の矢印で示している。
【００１７】
図３は、本実施形態における用語の定義を説明するための図である。
以下、表示部１６０を正面視したときの方向に基づいて上下左右方向を定める。
電子機器１は、サイドセンサ１２２においてユーザの操作を受け付ける。ここで、通常、ユーザは、電子機器１の側面を握って電子機器１を保持することが多い。図に示す例では、ユーザは電子機器１の左右にある側面を握って電子機器１を保持している。このとき、サイドセンサ１２２は、ユーザが電子機器１を保持している手の位置を検知している。制御部１１０は、ユーザが電子機器１を保持している位置を判定し、判定した位置以外におけるサイドセンサ１２２の検知結果に基づいてユーザ操作を判別する。具体的には、制御部１１０は、サイドセンサ１２２において所定時間以上移動していない接触をユーザが電子機器１を保持している位置とする。また、制御部１１０は、サイドセンサ１２２における動きをユーザ操作とし、このユーザ操作に基づいて表示部１６０に表示されている画像を変化させる。
また、制御部１１０は、姿勢検知部１２３が検知した姿勢に基づいて、各側面Ｆａ〜Ｆｄ（サイドセンサ１２２Ａ〜Ｄ）が上下左右いずれにあるかを検出し、検出結果に基づいてユーザ操作を判定する。
以下、サイドセンサ１２２Ａが上になるようにユーザが電子機器１を保持している場合について説明する。
【００１８】
［画像：表示画像切り替え］
図４は、本実施形態による画像の切り替え操作を説明するための図である。
ここで、記憶部１４０には、複数の画像データが記憶されている。また、表示部１６０には、記憶部１４０に記憶されている静止画の画像データのうち１枚の画像が表示されている。画像の順序は予め設定されている。
【００１９】
この状態において、制御部１１０は、上にあるサイドセンサ１２２Ａ又は下にあるサイドセンサ１２２Ｃにおいて右方向又は左方向にユーザの指が動く動きを検知すると、表示部１６０に表示する画像を切り替える。具体的には、制御部１１０は、サイドセンサ１２２Ａ又はサイドセンサ１２２Ｃにおいて右方向にユーザの指が動く動きを検知すると、現在表示している画像の次の画像を表示部１６０に表示する。一方、サイドセンサ１２２Ａ又はサイドセンサ１２２Ｃにおいて左方向にユーザの動く動きを検知すると、現在表示している画像の前の画像を表示部１６０に表示する。なお、本実施形態では、右方向の動きを検知すると次の画像に切り替え、左方向の動きを検知すると前の画像に切り替えているが、右方向の動きを検知すると次の画像に切り替え、左方向の動きを検知すると前の画像に切り替えてもよい。
【００２０】
また、制御部１１０は、右にあるサイドセンサ１２２Ｄ又は左にあるサイドセンサ１２２Ｂにおいて上方向又は下方向にユーザの指が動く動きを検知すると、表示部１６０に表示する画像を切り替える。具体的には、制御部１１０は、サイドセンサ１２２Ｂ又はサイドセンサ１２２Ｄにおいて下方向にユーザの指が動く動きを検知すると、現在表示している画像の次の画像を表示部１６０に表示する。一方、サイドセンサ１２２Ｂ又はサイドセンサ１２２Ｄにおいて上方向にユーザの動く動きを検知すると、現在表示している画像の前の画像を表示部１６０に表示する。なお、本実施形態では、下方向の動きを検知すると次の画像に切り替え、上方向の動きを検知すると前の画像に切り替えているが、上方向の動きを検知すると次の画像に切り替え、下方向の動きを検知すると前の画像に切り替えてもよい。
【００２１】
［画像：拡大］
図５は、本実施形態による画像の拡大操作を説明するための図である。
制御部１１０は、上にあるサイドセンサ１２２Ａにおいて左方向にユーザの指が動く動きを検知するとともに、右にあるサイドセンサ１２２Ｂにおいて下方向にユーザの指が動く動きを検知した場合に、表示部１６０に表示している画像（以下、表示画像とする）を拡大して表示させる。ここで、表示画像は、静止画、動画、又は電子書籍いずれでもよい。すなわち、互いに隣接する側面に設置された２つのサイドセンサ１２２同士において、いずれも他方のサイドセンサ１２２から離れる向きのユーザの指の動きを検知した場合に、制御部１１０は、表示画像を拡大表示する。同様に、制御部１１０は、右にあるサイドセンサ１２２Ｂにおいて上方向にユーザの指が動く動きを検知するとともに下にあるサイドセンサ１２２Ｃにおいて左方向にユーザの指が動く動きを検知した場合や、下にあるサイドセンサ１２２Ｃにおいて右方向にユーザの指が動く動きを検知するとともに左にあるサイドセンサ１２２Ｄにおいて上方向にユーザの指が動く動きを検知した場合、左にあるサイドセンサ１２２Ｄにおいて下方向にユーザの指が動く動きを検知するとともに上にあるサイドセンサ１２２Ｃにおいて右方向にユーザの指が動く動きを検知した場合にも、表示画像を縮小表示する処理を行う。
また、制御部１１０は、ユーザの指が動いた距離に応じて表示画像の拡大率を決定する。具体的には、制御部１１０は、ユーザの指が動いた距離が大きいほど拡大率を大きくし、ユーザの指が動いた距離が小さいほど拡大率を小さくする。なお、制御部１１０は、ユーザの指が動いた速さに応じて表示画像の拡大率を決定してもよい。例えば、ユーザの指の動きが速いほど拡大率を大きくし、ユーザの指の動きが遅いほど拡大率を小さくする。
【００２２】
［画像：縮小］
図６は、本実施形態による画像の縮小操作を説明するための図である。
制御部１１０は、上にあるサイドセンサ１２２Ａにおいて右方向にユーザの指が動く動きを検知するとともに、右にあるサイドセンサ１２２Ｂにおいて上方向にユーザの指が動く動きを検知した場合に、表示画像を拡大して表示させる。すなわち、制御部１１０は、互いに隣接する２つのサイドセンサ１２２同士において、いずれも他方のサイドセンサ１２２に近づく向きのユーザの指の動きを検知した場合に、表示画像を拡大表示する。同様に、制御部１１０は、右にあるサイドセンサ１２２Ｂにおいて下方向にユーザの指が動く動きを検知するとともに下にあるサイドセンサ１２２Ｃにおいて右方向にユーザの指が動く動きを検知した場合や、下にあるサイドセンサ１２２Ｃにおいて左方向にユーザの指が動く動きを検知するとともに左にあるサイドセンサ１２２Ｄにおいて下方向にユーザの指が動く動きを検知した場合、左にあるサイドセンサ１２２Ｄにおいて上方向にユーザの指が動く動きを検知するとともに上にあるサイドセンサ１２２Ｃにおいて左方向にユーザの指が動く動きを検知した場合にも、表示画像を縮小表示する処理を行う。
また、制御部１１０は、ユーザの指が動いた距離に応じて表示画像の縮小率を決定する。具体的には、制御部１１０は、ユーザの指が動いた距離が大きいほど縮小率を大きくし、ユーザの指が動いた距離が小さいほど縮小率を小さくする。なお、制御部１１０は、ユーザの指が動いた速さに応じて表示画像の縮小率を決定してもよい。例えば、ユーザの指の動きが速いほど縮小率を大きくし、ユーザの指の動きが遅いほど縮小率を小さくする。
【００２３】
［画像：回転］
図７は、本実施形態による画像の回転操作を説明するための図である。
制御部１１０は、上にあるサイドセンサ１２２Ａにおいて右方向にユーザの指が動く動きを検知するとともに、下にあるサイドセンサ１２２Ｂにおいて左方向にユーザの指が動く動きを検知した場合に、表示画像を右に９０度回転して表示させる。すなわち、制御部１１０は、互いに対向する２つのサイドセンサ１２２同士において、互いに逆向きのユーザの指の動きを検知した場合に、表示画像を回転して表示させる。同様に、制御部１１０は、右にあるサイドセンサ１２２Ｂにおいて下方向にユーザの指が動く動きを検知するとともに、左にあるサイドセンサ１２２Ｄにおいて上方向にユーザの指が動く動きを検知した場合に、表示画像を右に９０度回転して表示させる。また、制御部１１０は、上にあるサイドセンサ１２２Ａにおいて左方向にユーザの指が動く動きを検知するとともに、下にあるサイドセンサ１２２Ｂにおいて左方向にユーザの指が動く動きを検知した場合に、表示画像を左に９０度回転して表示させる。同様に、制御部１１０は、右にあるサイドセンサ１２２Ｂにおいて上方向にユーザの指が動く動きを検知するとともに、左にあるサイドセンサ１２２Ｄにおいて下方向にユーザの指が動く動きを検知した場合に、表示画像を左に９０度回転して表示させる。
【００２４】
なお、本実施形態では、表示画像を９０度回転しているが、ユーザの指が動いた距離又はユーザの指が動く速さに基づいて、表示画像の回転角度を変更してもよい。
【００２５】
［電子書籍：ページめくり］
図８は、本実施形態によるページめくり操作を説明するための図である。本図において、表示部１６０には電子書籍の中の1ページが表示されている。
制御部１１０は、上にあるサイドセンサ１２２Ａ又は下にあるサイドセンサ１２２Ｃにおいて右方向にユーザの指が素早く動く（又は弾く）動き（フリック）を検知した場合に、電子書籍のページをめくる（電子書籍における次のページを表示部１６０に表示する）。素早く動く（又は弾く）動き（フリック）とは、接触時間が短く動きの速度が所定速度より速い動きである。一方、制御部１１０は、上にあるサイドセンサ１２２Ａ又は下にあるサイドセンサ１２２Ｃにおいて左方向にユーザの指が素早く動く（又は弾く）動きを検知した場合に、電子書籍のページを戻る（電子書籍における前のページを表示部１６０に表示する）。なお、本実施形態では、右方向のフリックを検知すると次のページを表示し、左方向のフリックを検知すると前のページを表示しているが、右方向のフリックを検知すると次のページを表示し、左方向のフリックを検知すると前のページを表示してもよい。
【００２６】
また、制御部１１９は、右にあるサイドセンサ１２２Ｂ又は左にあるサイドセンサ１２２Ｄにおいて下方向にユーザの指が素早く動く（又は弾く）動き（フリック）を検知した場合に、電子書籍のページをめくる（電子書籍における次のページを表示部１６０に表示する）。一方、制御部１１０は、右にあるサイドセンサ１２２Ｂ又は左にあるサイドセンサ１２２Ｄにおいて上方向にユーザの指が素早く動く（又は弾く）動き（フリック）を検知した場合に、電子書籍のページを戻る（電子書籍における前のページを表示部１６０に表示する）。なお、本実施形態では、上方向のフリックを検知すると次のページを表示し、下方向のフリックを検知すると前のページを表示しているが、下方向のフリックを検知すると次のページを表示し、上方向のフリックを検知すると前のページを表示してもよい。
【００２７】
［動画：早送り巻き戻し］
図９は、本実施形態による動画の再生位置指定操作を説明するための図である。
撮像部１２１が撮像するスルー画像データを表示部１６０が表示している場合を例に説明する。撮像部１２１が撮像するスルー画像データは、記憶部１４０のバッファメモリに順次記憶される。
制御部１１０は、動画を再生しているときに、サイドセンサ１２２においてユーザの指が動く動きを検知すると、現在の再生位置を示すための再生位置表示バーＴを表示部１６０に表示させる。再生位置表示バーＴは、ユーザの指が動く動きを検知したサイドセンサ１２２側に、当該サイドセンサ１２２の検知位置に対応付けて表示される。再生位置表示バーＴには、現在の再生位置を示すスライダＳが表示される。
【００２８】
この状態において、制御部１１０は、上にあるサイドセンサ１２２Ａ又は下にあるサイドセンサ１２２Ｃにおいて左方向にユーザの指が動く動きを検知すると、スルー画像を巻き戻す。また、制御部１１０は、右にあるサイドセンサ１２２Ｂ又は左にあるサイドセンサ１２２Ｄにおいて上方向にユーザの指が動く動きを検知すると、スルー画像を巻き戻す。このとき、制御部１１０は、サイドセンサ１２２における接触位置に基づいて巻き戻し量（何秒巻き戻すか）を決定する。また、制御部１１０は、サイドセンサ１２２が検知する接触位置に応じて再生位置表示バーＴのスライダＳを移動させる。サイドセンサ１２２における各位置に対する動画の再生位置は予め設定されている。例えば、本図において、サイドセンサ１２２Ａにおいて０秒の位置から−１秒の位置へユーザの指が動く動きを検知すると、制御部１１０はスルー画像を１秒巻き戻す。
【００２９】
また、制御部１１０は、上にあるサイドセンサ１２２Ａ又は下にあるサイドセンサ１２２Ｃにおいて右方向にユーザの指が動く動きを検知すると、スルー画像を早送りする。また、制御部１１０は、右にあるサイドセンサ１２２Ｂ又は左にあるサイドセンサ１２２Ｄにおいて下方向にユーザの指が動く動きを検知すると、スルー画像を早送りする。このとき、制御部１１０は、サイドセンサ１２２における接触位置に基づいて早送り量（何秒早送りするか）を決定する。また、制御部１１０は、サイドセンサ１２２が検知する接触位置に応じて再生位置表示バーＴのスライダＳを移動させる。例えば、現在の再生位置が−２秒であるときに、サイドセンサ１２２Ａにおいて−２秒の位置から−1秒の位置へユーザ指が動く動きを検知すると、制御部１１０はスルー画像を１秒早送りする。
【００３０】
なお、本実施形態では、左方向又は上方向にユーザの指が動く動きを検知すると動画像を巻き戻し、右方向又は下方向にユーザの指が動く動きを検知すると動画像を早送りしているが、右方向又は下方向にユーザの指が動く動きを検知すると動画像を巻き戻し、左方向又は上方向にユーザの指が動く動きを検知すると動画像を早送りしてもよい。
【００３１】
また、制御部１１０は、巻き戻し操作又は早送り操作の直後に、ユーザの指がサイドセンサ１２２から離れずに残っている場合は、巻き戻した位置又は早送りした位置でスルー画像を一時停止する。すなわち、制御部１１０は、巻き戻し操作又は早送り操作の動きを検知した後に、当該動きによる接触がなくなるまでスルー画像を一時停止する。そして、制御部１１０は、ユーザの指がサイドセンサ１２２から離れると（サイドセンサ１２２における接触がなくなると）、一時停止した位置からスルー画像を再生する。例えば、制御部１１０は、サイドセンサ１２２Ａにおいて、０秒の位置から−１秒の位置へユーザの指が動き、−１秒の位置でユーザの指が停止したことを検知すると、スルー画像を１秒巻き戻した位置で一時停止する。そして、サイドセンサ１２２Ａにおいてユーザの指が離れたことを検知すると、制御部１１０は一時停止した位置からスルー画像を再生する。
【００３２】
上述した例ではスルー画像データを例に説明したが、例えば、記憶部１４０に記憶されている他の動画の画像データについても同様の操作で巻き戻し及び早送りをすることができる。
また、上述した例では、サイドセンサ１２２の検出位置に対応する再生位置を絶対位置としたが、動画の画像データの長さに応じて相対的にサイドセンサの検出位置に対応する再生位置を決定してもよい。
【００３３】
このように、本実施形態によれば、電子機器１は、表示部１６０の外周に沿って設けられた複数のサイドセンサ１２２が検知する指の動きに応じて、表示部１６０に表示されている画像を変化させる。これにより、ユーザは、直感的に、且つ、容易に表示部１６０に表示されている画像に対して操作をすることができる。
【００３４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述した例では、サイドセンサ１２２Ａが上になる場合について説明したが、サイドセンサ１２２Ｂ、サイドセンサ１２２Ｃ又はサイドセンサ１２２Ｄが上になる場合についても同様の操作で画像を変化させることができる。
また、ユーザの指の動きを例に説明したが、ユーザの掌や手の甲、或いは他の物体（例えば、ペン等）の動きを検知した場合についても同様にユーザ操作を判別する。
また、上記実施形態においては、サイドセンサ１２２が筐体の側面Ｆａ〜Ｆｄのそれぞれに配置された構成を例に挙げて説明したが、これに限られることは無い。例えば、サイドセンサ１２２が側面Ｆａ〜Ｆｄのうち１面以上３面以下の面に設けられている構成であっても構わない。
【００３５】
また、上記実施形態においては、姿勢検知部１２３により筐体の姿勢を検出し、検出結果に基づいて上下左右方向を判定しているが、これに限られることは無い。例えば、姿勢検知部１２３の検出結果によらず所定の側面を上とするようにしても構わない。
【００３６】
また、上記実施形態においては、筐体が正方形に形成された板状の構成を例に挙げて説明したが、これに限られることは無い。例えば、筐体が矩形や円形、三角形、多角形など、他の形状に形成された板状の構成であっても構わない。また、筐体が球状や多角柱状、円筒状など、板状に限らず他の形状に形成された構成であっても構わない。
【符号の説明】
【００３７】
１…電子機器  １１０…制御部  １２０…入力部  １３０…無線通信部  １４０…記憶部  １５０…画像処理部  １６０…表示部  １２１…撮像部  １２２…サイドセンサ  １２３…姿勢検知部
【図１】
2012243204.tif 000003
【図２】
2012243204.tif 000004
【図３】
2012243204.tif 000005
【図４】
2012243204.tif 000006
【図５】
2012243204.tif 000007
【図６】
2012243204.tif 000008
【図７】
2012243204.tif 000009
【図８】
2012243204.tif 000010
【図９】
2012243204.tif 000011